(57)【特許請求の範囲】
【請求項１】
高圧空気流を生成する高圧空気流発生装置を内部に有する本体箱体と、
この本体箱体の上部に開口された手挿入部と、
前記手挿入部の対向する位置に、それぞれ、中央が手元寄りになり、両端に向って手先寄りとなるライン状に形成されたエアーノズルとを備え、
前記高圧空気流発生装置で生成された高圧空気流を前記エアーノズルから噴出して手に付着した水分を前記手挿入部の奥側へ吹飛ばし、手に衝突した噴流の一部が、前記手挿入部の外側寄りの斜め上方に左右に離反していくように吹き返るようにした手乾燥装置。
【請求項２】
高圧空気流を生成する高圧空気流発生装置を内部に有する本体箱体と、
この本体箱体に凹状に形成された手挿入部と、
この手挿入部に、中央が手元寄りになり、両端に向って手先寄りとなるライン状に形成され、前記高圧空気流発生装置で生成された高圧空気流を噴出して手に付着した水分を前記手挿入部の奥側へ吹飛ばし、手に衝突した噴流の一部が、前記手挿入部の外側寄りの斜め上方に左右に離反していくように吹き返るようにしたエアーノズルと、
このエアーノズルの中央の手元側にスポット状に副噴流を噴射する副ノズルとを備えた手乾燥装置。
【請求項３】
高圧空気流を生成する高圧空気流発生装置を内部に有する本体箱体と、
この本体箱体に凹状に形成された手挿入部と、
この手挿入部に、中央が手元寄りになり、両端に向って手先寄りとなるライン状に形成され、前記高圧空気流発生装置で生成された高圧空気流を噴出して手に付着した水分を前記手挿入部の奥側へ吹飛ばし、手に衝突した噴流の一部が、前記手挿入部の外側寄りの斜め上方に左右に離反していくように吹き返るようにしたエアーノズルとを備え、
このエアーノズルから噴出する高圧空気流の風量を中央から両端に向う程多くしたことを特徴とする手乾燥装置。
【請求項４】
エアーノズルの中央に局部的な噴流空白域を設けたことを特徴とする請求項１ないし請求項３の何れかに記載の手乾燥装置。
【発明の詳細な説明】
【０００１】
【発明の属する技術分野】
本発明は、洗浄後の濡れた手を高速空気流の噴射によって衛生的に乾燥処理する手乾燥装置に関するものである。
【０００２】
【従来の技術】
洗浄後の濡れた手を、タオルやハンカチ等で払拭せず高速空気流の噴射により水分を吹飛ばして乾燥させる衛生的な手乾燥処理を行う手乾燥装置が開発されている。この種の装置は、高速空気流の運動エネルギーを利用して手に付着した水分を吹飛ばすため、手に衝突した高速空気流の吹き返しが利用者に吹きかかったり、吹飛ばされた水の飛沫が周囲に飛散するといった課題がある。こうした課題に対して例えば、特開平３―８２４１９号公報には、手の乾燥に資する主噴流とともに、吹き返しを遮る副噴流を噴出する吹き返し防止に関する技術が示されている。これは、主噴流より出し入れ口寄りに幅広の副噴流によるカーテン流を形成し、主噴流の手への衝突による跳ね返りをカーテン流によって遮蔽しようとするものである。
【０００３】
【発明が解決しようとする課題】
上記のような従来の手乾燥装置においては、副噴流により水の飛沫を含む主噴流の吹き返しを阻むことができるものの、主副の噴流を作るに足る能力の大きな高圧空気流発生装置が必要であるばかりでなく、水の飛沫は含まないものの副噴流の吹き返しが使用者の顔面に当たり使用感を損なうといった問題点がある。また、処理空間は多くが出し入れ口と両側の開放した構造が採られているため、処理空間に吹飛んだ水の飛沫を含んだ気流が開放した側部から外部に流出し、周囲を濡らしたり汚したりする問題点も含んでいた。
【０００４】
本発明は、上記した従来の手乾燥装置の問題点に鑑みてなされたものであり、その課題とするところは、複雑な構成を採らずに吹き返しを防止できる使用感の良い手乾燥装置を得ることであり、機外への水の飛散の少ない衛生的な手乾燥装置を得ることである。
【０００５】
【課題を解決するための手段】
前記課題を解決するために請求項１の発明は、高圧空気流を生成する高圧空気流発生装置を内部に有する本体箱体と、この本体箱体の上部に開口された手挿入部と、前記手挿入部の対向する位置に、それぞれ、中央が手元寄りになり、両端に向って手先寄りとなるライン状に形成されたエアーノズルとを備え、前記高圧空気流発生装置で生成された高圧空気流を前記エアーノズルから噴出して手に付着した水分を前記手挿入部の奥側へ吹飛ばし、手に衝突した噴流の一部が、前記手挿入部の外側寄りの斜め上方に左右に離反していくように吹き返るようにする。
【０００６】
前記課題を解決するために請求項２の発明は、高圧空気流を生成する高圧空気流発生装置を内部に有する本体箱体と、この本体箱体に凹状に形成された手挿入部と、この手挿入部に、中央が手元寄りになり、両端に向って手先寄りとなるライン状に形成され、前記高圧空気流発生装置で生成された高圧空気流を噴出して手に付着した水分を前記手挿入部の奥側へ吹飛ばし、手に衝突した噴流の一部が、前記手挿入部の外側寄りの斜め上方に左右に離反していくように吹き返るようにしたエアーノズルと、このエアーノズルの中央の手元側にスポット状に副噴流を噴射する副ノズルとを備える。
【０００７】
前記課題を解決するために請求項３の発明は、高圧空気流を生成する高圧空気流発生装置を内部に有する本体箱体と、この本体箱体に凹状に形成された手挿入部と、この手挿入部に、中央が手元寄りになり、両端に向って手先寄りとなるライン状に形成され、前記高圧空気流発生装置で生成された高圧空気流を噴出して手に付着した水分を前記手挿入部の奥側へ吹飛ばし、手に衝突した噴流の一部が、前記手挿入部の外側寄りの斜め上方に左右に離反していくように吹き返るようにしたエアーノズルとを備え、このエアーノズルから噴出する高圧空気流の風量を中央から両端に向う程多くする手段を採用する。
【０００８】
前記課題を解決するために請求項４の発明は、請求項１ないし請求項３の何れかに係る前記手段におけるエアーノズルの中央に局部的な噴流空白域を設ける。
【０００９】
【発明の実施の形態】
図１〜図８によって示す実施の形態は、高速空気流の噴射によって手を乾燥させる手乾燥装置に関するものである。この手乾燥装置は、図１に示すように上部に手挿入口を有する外殻をなす本体箱体１内に組込まれた高圧空気流発生装置２による高圧空気流が手挿入口近傍に送られて、手挿入口に続く処理空間としての手挿入部３内に水分を吹飛ばす手乾燥に関する作動気流としての高速空気流を形成するものである。
【００１０】
手挿入部３は本体箱体１の上部に、両手を平面内で揃えた状態で斜め上下方向に挿抜できる、上方の出し入れ口４と両側方の開放した深底の傾斜した開放シンク状に形成されている。手挿入部3の底部は、Ｕ字状に形成されその中央に設けられた排水口が排水パイプにより本体箱体１の下部に備えられた開放容器構造のドレンタンク５に排水可能に接続されている。
【００１１】
高圧空気流発生装置２は、ＤＣブラシレスモーター（通常の整流子モーター又は誘導電動機であっても良い）と、これを駆動させる駆動回路及びＤＣブラシレスモーターによって回転するターボファンにより構成され、この実施の形態では本体箱体１の手挿入部３の下方に取付けられていて、制御回路によって自動運転される。高圧空気流発生装置２の吸気側は、本体箱体１内に設けられた吸気通路に臨んでいて、吸気通路端の吸込口から装置外の空気を吸込むことができるようになっている。
【００１２】
高圧空気流発生装置２の吹出口は、途中において手挿入部3の前側と後側に二股に分岐したダクトに接続され、分岐したダクトの各端に高圧空気流発生装置２から送られてくる高圧空気流を高速の気流に変換し、手挿入部３に前方と後方から横列のライン状に吹出すエアーノズル６が接続されている。
【００１３】
二つのエアーノズル６は、手挿入部３の出し入れ口４近傍の前部と後部の略中央に噴出口７をやや下向きにして横方向に対向状に取付けられ、手挿入部３内に入れた手に高速の空気流を吹付け、手を擦り合わせることなく手に付いた水滴を手の表面から剥離し手挿入部３内へ吹飛ばす。これらのエアーノズル６の噴出口７は、図１に示すように中央で屈曲したスリット又は、図３に示すような中央で屈曲した孔列として構成され、手挿入部３において揃えた両手に対して中央が手元寄り（手首寄り）になり、両端に向って手先寄り（小指の先側）となる高速空気によるライン状噴流８を形成する。即ち、ライン状噴流８は、高速空気の流れ方向に対して直角の断面形状が中央部が最上位となる二次元形状となる。
【００１４】
手挿入部３にはエアーノズル６の他に、各エアーノズル６より出し入れ口４側において、エアーノズル６によるライン状噴流８の中央にスポット状に副噴流９を噴射する副ノズル１０が一つずつ配設されている。この副ノズル１０による副噴流９は、エアーノズル６によるライン状噴流８より幅が狭く、吐出圧力も小さく設定されている。
【００１５】
この手乾燥装置では、手挿入口から手挿入部３内に両手を自然に揃えた状態で概ね手首付近まで入れると、手を検知する手検知センサー１１によって手が検知され、制御回路の処理により高圧空気流発生装置２が作動し、エアーノズル６から高い運動エネルギーを持つ高速空気流であるライン状噴流８が手挿入部３内に吹出され、挿入された手の表裏に当り手に付着した水分を手挿入部３の底側へ吹飛ばす。さらに、手挿入部３内で手を挿抜させることによって、手全体に付着していた水滴が全て排除され、手が乾燥処理される。そして手の乾燥処理終了後、手を手挿入部３から完全に抜くと、手を検知する手検知センサー１１で手を抜いたことが検知され、高圧空気流発生装置２が停止する。手から吹飛ばされた水滴は手挿入部３の内壁面に付着するが逐次底部に流下して排水口から排水パイプを通ってドレンタンク５に貯溜される。
【００１６】
上記した手乾燥処理動作中において、手挿入部３に平面内で揃えた状態で斜め下方向に向けて入れた両手に対して、エアーノズル６から吹出すライン状噴流８は、図２に示すような略へ状の形態で手の甲側と掌側に衝突する。ライン状噴流８の中央の屈曲部は、合せた両手の合せ目にほぼ対応し、利用者の顔面にも対応する。この部分の噴流の量は、左右のライン部分より少なくなっている。手に衝突したライン状噴流８の多くは手挿入部３の内側寄りの斜め下方に手から払拭した水分とともに吹飛んでいく（図２のＡで示す流れ）。そして、手に衝突したライン状噴流８の一部は手挿入部３の外側寄りの斜め上方に左右に離反していくように吹き返っていく（図２のＢで示す流れ）。
【００１７】
手に衝突した後、斜め内向きに吹飛んで行く噴流Ａは、払拭した水分とともに手挿入部３の底部中央寄りに向い、水分は底部側の内壁を伝い排水口から排水パイプを経てドレンタンク５に貯溜される。従って、手挿入部３の開放した両側部から外部に手から払拭した水分の飛沫が飛散し、周囲を濡らしたり汚したりすることは防止され、乾燥処理に伴う水分を衛生的に処理できる。
【００１８】
また、手に衝突した後、斜め外向きに吹き返っていく噴流Ｂは、その殆どが使用者の手許及び顔面から離反する方向であり、袖口に吹きかかったり顔面に吹きかかったりすることがなく、良好な使用感が得られる。顔面に対峙することになる中央部からの吹き返りについては、その量が少ないため、水の飛沫を含んでいたとしても顔にまで到達することはない。本実施の形態においては、スポット状の副噴流９がこの吹き返りを阻むため中央部からの吹き返り自体が殆どないものとなる。副噴流９は、手の乾燥に関与する噴流でなく、吹き返り防止について万全を期する意味合いのものであり、幅も狭くスポット状のものなので性能の高い高圧空気流発生装置２を採用しなくても十分形成することができる。
【００１９】
上述のような機能を果たすライン状噴流８としては、図４に示すような断面形状が円弧ライン状噴流８でもよく、図５に示すように風量が中央を最小として両端に向う程多くなる形態のライン状噴流８でもよい。揃えた両手の中央は合わせ目であり、乾燥処理する必要性の少ない箇所であり、顔面が対応する位置でもあるので、図６に示すようにライン状噴流８の中央に局部的な噴流空白域１２を設定しても効果がある。
【００２０】
なお、図７，８によって示すような手挿入部３が略水平方向からの手の挿抜を行う形式の手乾燥装置についても上述した仕方と同様にして吹き返り防止に関する本技術を適用することができる。この場合、図７，８に示すようにエアーノズル６が上側一つでも差し支えない。
【００２１】
【発明の効果】
請求項１の発明によれば、複雑な構成を採らずに吹き返しを防止できる使用感が良く、機外への水の飛散も少ない衛生的な手乾燥装置が得られる。
【００２２】
請求項２の発明によれば、請求項１に係る前記効果とともに簡単に吹き返しをさらに厳格に防止することができる。
【００２３】
請求項３の発明によれば、請求項１又は請求項２のいずれかに係る前記効果が風量の設定によって得ることができる。
【００２４】
請求項４の発明によれば、請求項１〜請求項３までのいずれかに係る前記効果がライン状噴流の中央に局部的な噴流空白域を設定することによって得られる。
【図面の簡単な説明】
【図１】  実施の形態の手乾燥装置を示す斜視図である。
【図２】  実施の形態の手乾燥装置における手乾燥処理時のライン状噴流の挙動を示す平面図である。
【図３】  実施の形態の手乾燥装置のエアーノズルの構成を示す平面図である。
【図４】  実施の形態の他のライン状噴流の形態を示す断面図である。
【図５】  実施の形態の他のライン状噴流の形態を示す断面図である。
【図６】  実施の形態の他のライン状噴流の形態を示す断面図である。
【図７】  実施の形態の他の形式の手乾燥装置を示す射視図である。
【図８】  実施の形態の他の形式の手乾燥装置を示す断面図である。
【符号の説明】
２  高圧空気流発生装置、  ３  手挿入部、  ４  出し入れ口、  ６  エアーノズル、  ８  ライン状噴流、  ９  副噴流、  １２  噴流空白域。
【図１】
0004153154.tif 000002
【図２】
0004153154.tif 000003
【図３】
0004153154.tif 000004
【図４】
0004153154.tif 000005
【図５】
0004153154.tif 000006
【図６】
0004153154.tif 000007
【図７】
0004153154.tif 000008
【図８】
0004153154.tif 000009